(57)【要約】【課題】  ボタンキーボードのバックライトで消費エネルギーを低く、輝度を均一にする。【解決手段】  回路板の表側に設置した複数の弾片の間に必要に応じて複数の発光ダイオードを設置する。光透過可能なキーボードは回路板の弾片を備える表側を蓋合し、回路板の弾片に対応する複数のボタンをキーボード上に設置する。回路板と発光ダイオード間に設置された光反射片上には発光ダイオードに対応するように複数の収容設置孔が形成されている。更に、光透過可能な導光板を該キーボード、該光反射片の間に設置し、その内部には、キーボードのボタン及び発光ダイオードに対応する複数のボタン孔、収容設置孔を設ける。ボタン孔はキーボードの片側或いは反対側周縁に面し、加工区が環状に設けられる。【選択図】  図５
0003130867.tif 000002
【実用新案登録請求の範囲】
【請求項１】
主に少なくとも回路板、光透過可能なキーボード、光透過可能な導光板を含み、
該回路板は表側に複数の弾片を設置し、しかも該各弾片の間に必要に応じて複数の発光ダイオードを設置し、
該光透過可能なキーボードは該回路板の該弾片を備える表側に蓋合し、該キーボード上には複数のボタンを設置し、それぞれ該回路板の各弾片に対応し、
該光透過可能な導光板は該キーボードと該回路板の間に設置し、その内部には複数のボタン孔、収容設置孔を設置し、それぞれ該キーボードのボタン及び該各発光ダイオードに対応し、該ボタン孔のキーボードに面する片側周縁に加工区を環状に設置することを特徴とするボタンキーボードのバックライト構造。
【請求項２】
前記回路板と該導光板の間には光反射片を設置し、該光反射片上には複数の収容設置孔を設置し、該各発光ダイオードを対応し設置可能であることを特徴とする請求項１記載のボタンキーボードのバックライト構造。
【請求項３】
前記加工区の幅は30mm以下であることを特徴とする請求項１記載のボタンキーボードのバックライト構造。
【請求項４】
前記加工区はインク印刷、レーザー雕刻、モールドテクスチュア、ローラー、ピンプリック、カウンターサンク、ブラインドビア及びエッチング等方式の内の一つを選択し該ボタン孔周縁に成型することを特徴とする請求項１記載のボタンキーボードのバックライト構造。
【請求項５】
前記ボタン孔内周縁は円滑表面を呈し、垂直度の誤差は1度以内であることが望ましい
ことを特徴とする請求項１記載のボタンキーボードのバックライト構造。
【考案の詳細な説明】
【技術分野】
【０００１】
本考案はボタンキーボードのバックライト構造に関する。特に光源用量が少なく、消費エネルギーが低く、しかも輝度が均一なボタンキーボードのバックライト構造に係る。
【背景技術】
【０００２】
現代３Ｃ製品の構造中には多くの各種ボタンキーボードの応用形態が見られるが、そのキーボードがどのような種類の構造であろうと、すべて適当なバックライト構造を光線不足時の照明光源としている。
【０００３】
公知のボタンキーボードのバックライト構造は図１、２に示すように、回路板１の表側に複数の分離可能な弾片１１を設置し、しかも該各弾片１１の間には必要に応じて複数の発光ダイオード３を設置する。光透過可能なキーボード２０は該回路板１の該弾片１１を備える片側を蓋合し、該キーボード２０上には複数のボタン２０１を設置し、それぞれ該回路板１の各弾片１１に対応する。しかも該各ボタン２０１の間には複数の凹部２０２を設置し、それぞれ該各発光ダイオード３に対応する。光反射片４０は該回路板１と該キーボード２０の間に設置し、該光反射片４０上には複数の収容設置孔４０１を設置し、それぞれ該各発光ダイオード３の位置に対応し、こうして該キーボード２０と該回路板１が該光反射片４０を挟む時、該複数の発光ダイオード３は該光反射片４０の収容設置孔４０１及び該キーボード２０の凹部２０２内に設置される。
【０００４】
該ボタン２０１が押されると、該光反射片４０を経由し、該回路板１上の相互に対応する弾片１１を触動し、該発光ダイオード３が発する光線は、周縁の光反射片４０を経由し上方へと反射し該キーボード２０を通過する。こうしてキーボード２０のバックライト構造を形成する。
【０００５】
しかし、上記構造中では、該光反射片４０は単純な光線反射のみを行い、光線均一及び拡散効果を備えないため、その全体のバックライト効果は一部位置（発光ダイオード３設置の部位）周縁にのみ高輝度が出現し、その他部位の輝度は劣る。この種の輝度不均一の状況は応用における一大欠点である。
【０００６】
さらに図３、４に示す構造では、光透過可能なキーボード２を直接光透過可能な回路板１０の表側に設置し、該回路板１０上の該キーボード２に面した片側には複数の弾片１１１を設置し、該キーボード２の各ボタン２１に対応する。該回路板１０の反対側表面には複数の発光ダイオード３を設置し、しかも導光板５０を該キーボード２が備える複数の発光ダイオード３の片側表面に密着させ、該導光板５０上には複数の収容設置孔５０１を設置し、該各発光ダイオード３の位置に対応する。しかも複数の印刷区５０２を設置し、該回路板１０の弾片１１１に対応し、最後に、光反射片４００により該導光板５０を蓋合する。これにより該複数の発光ダイオード３は該導光板５０の収容設置孔５０１内に収容される。
【０００７】
該ボタン２１が押されると、直接該回路板１０上の相互に対応する弾片１１１を触動し、該発光ダイオード３が発する光線の一部は直接上方へと向かい該回路板１０、該キーボード２を通過し、その他の光線は下に向かい、該光反射片４００により反射され、さらに該導光板５０を通過し均一に拡散し、最終的には上に向かい該回路板１０、該キーボード２を通過し完全なバックライト構造を形成する。
【０００８】
該構造では一部の光線が該導光板５０を経て均一に拡散するため、全体のバックライト
は比較的均一の状態を呈する。しかし、上記の構造でも該発光ダイオード３の光線は該回路板１０を経由しなければ該キーボード２を通過しバックライトとはならないため、その全体のバックライト光線輝度は比較的低く、しかも該発光ダイオード３の用量及びその消費エネルギーを低下させることはできず、応用において改善が求められている。
【考案の開示】
【考案が解決しようとする課題】
【０００９】
公知のボタンキーボードバックライト構造には上記のように欠点がある。本考案人は該欠点に対して研究を重ね、本考案を開発した。
【課題を解決するための手段】
【００１０】
上記課題を解決するため、本考案は下記のボタンキーボードのバックライト構造を提供する。
それは主にボタンキーボードのバックライト構造を提供し、そのバックライト全体は均一な輝度を備え、バックライト品質を効果的に向上させることができ、
またそれはボタンキーボードのバックライト構造を提供し、バックライト光源のエネルギー消費を効果的に低下させ、ランニングコストを下げることができ、
すなわちそれは回路板、光透過可能なキーボード、光透過可能な導光板を含み、
該回路板は表側に複数の弾片を設置し、しかも該各弾片の間に必要に応じて複数の発光ダイオードを設置し、
該光透過可能なキーボードは該回路板の該弾片を備える表側を蓋合し、該キーボード上には複数のボタンを設置し、それぞれ該回路板の各弾片に対応し、
該光反射片は該回路板と発光ダイオードの間に設置し、該光反射片上には複数の収容設置孔を設置し、該各発光ダイオードに対応し、これにより該光反射片は該回路板上に密着し、該各収容設置孔は該各発光ダイオードを収容することができ、
該光透過可能な導光板は該キーボードと該光反射片の間に設置し、その内部には複数のボタン孔、収容設置孔を設置し、それぞれ該キーボードのボタン及び該各発光ダイオードに対応し、該ボタン孔は該キーボードの片側或いは反対側周縁に面して加工区を環状に設置するボタンキーボードのバックライト構造を提供する。
【考案の効果】
【００１１】
上記のように、本考案ボタンキーボードのバックライト構造は低コストで消費エネルギーが低く、しかも輝度が均一という機能と効果を達成することができ、産業上の利用性、新奇性及び進ワニ性を備える。
【考案を実施するための最良の形態】
【００１２】
本考案の構造分解図である図５、組合せ指示図及び平面組合せ断面図である図６、７に示すように、本考案は主に回路板１、キーボード２、発光ダイオード３、光反射片４及び導光板５等を含む。
【００１３】
該回路板１は表側に複数の分離可能な弾片１１を設置し、しかも該複数の発光ダイオード３は該各弾片１１間の適当な位置に設置する。該光透過可能なキーボード２上には複数のボタン２１を設置し、それぞれ該回路板１の各弾片１１に対応する。該光反射片４上には複数の収容設置孔４１を設置し、該各発光ダイオード３に対応する。これにより該光反射片４は該回路板１上に密着し、該各収容設置孔４１により該各発光ダイオード３を収容する。
【００１４】
該導光板５は光透過可能材質により製造し、該キーボード２と該光反射片４の間に設置する。該光反射片４及び該導光板５積み重ね後の厚みが該キーボード２のボタン２１に接触し、該回路板１の弾片１１の動作に与える影響を考慮するため、該導光板５上には複数
のボタン孔５１を設置し、それぞれ該キーボード２のボタン２１に対応する。こうして該キーボード２のボタン２１において穿過し、該光反射片４と該回路板１の弾片１１を通して接触する。しかも該ボタン孔５１の該キーボード２に面する片側或いは反対側周縁には加工区５２を環状に設置し、該導光板５は該各ボタン孔５１の間において、複数の収容設置孔５３を設置し、該各発光ダイオード３に対応する。
【００１５】
使用時には、該ボタン２１が押されると、該導光板５のボタン孔５１を通して、該光反射片４を経由し該回路板１上の相互に対応する弾片１１を触動する。こうして該発光ダイオード３が発する光線は、水平方向に該収容設置孔５３の内周縁を通過し該導光板５に入り、該加工区５２で垂直に反射する。反射光源は下方に向かい、該光反射片４を経由し上方へと反射しバックライト効果を形成する。
【００１６】
上記構造において、該加工区５２は直接インクにより印刷する他に、レーザー雕刻、モールドテクスチュア、ローラー、ピンプリック、カウンターサンク、ブラインドビア及びエッチング等各方式により成型することができる。しかも該加工区５２の幅は30 mm以下
が望ましく、該ボタン孔５１内周縁は円滑表面を呈し、その垂直度の誤差は１度以内が望ましい。
【００１７】
本考案上記の構造において、該導光板５、該光反射片４は直接該キーボード２の底側に設置するため、極めて低い消費エネルギーで均一のバックライトを発することができる。よってＰＤＡ、PDA フォン、室内電話、携帯電話端末、GPS PDA、PURE GPS、プリンター
、コピー機、ファックス、ノートＰＣ、ＰＣ、翻訳機、ゲーム機、キャッシュディスペンサー、チケット販売機、リモコン等の各種3C製品、或いはクーラーのパネル、自動車用オーディオ操作パネル、冷蔵庫或いはその他操作パネル等の各種4C製品に広く応用することができる。
【図面の簡単な説明】
【００１８】
【図１】公知のボタンキーボードのバックライト構造分解図である。
【図２】図１の平面組合せ断面図である。
【図３】別種の公知ボタンキーボードのバックライト構造分解図である。
【図４】図３の平面組合せ断面図である。
【図５】本考案の構造分解図である。
【図６】本考案の組合せ指示図である。
【図７】本考案の平面組合せ断面図である。
【符号の説明】
【００１９】
1，10…回路板、11…弾片、2，20…キーボード、21，201…ボタン、202…凹部、3…発
光ダイオード、4，40，400…光反射片、41，401，501，53…収容設置孔、5，50…導光板
、51…ボタン孔、52、502…加工区、111…弾片。
【図１】
0003130867.tif 000003
【図２】
0003130867.tif 000004
【図３】
0003130867.tif 000005
【図４】
0003130867.tif 000006
【図５】
0003130867.tif 000007
【図６】
0003130867.tif 000008
【図７】
0003130867.tif 000009